(57)【要約】【課題】  サイズの大小に関わらずカップを容易に取り出し可能なカップホルダーを提供すること。【解決手段】  カップ受部６には、上端縁８ｂの上方から下方に向けて徐々に狭くなるように半円形の凹部８ａが形成されていることから、カップ２２の収納時に指が凹部下方の狭い方へと案内され、円筒部８およびベース部７の中心に正確にカップ２２の載置が行うことができ、カップ２２を取り出す際には、円筒部８の左右に設けられた凹部８ａから指を刺し込むことで正確な位置でカップ２２を把持を行えるので、観客はこれら凹部８ａを利用することで、カップサイズの大小に関わらず容易にカップ２１，２２を円筒部８内に載置でき、円筒部８内から確実にカップ２１，２２を取り出すことができる。【選択図】  図５
2005270498.tif 000002
【特許請求の範囲】
【請求項１】
カップを支持するベース部と、そのベース部の周縁から上方に延設された円筒部とを有するカップ受部とを備え、椅子の肘当て長手方向先端に設けられるカップホルダーにおいて、前記円筒部の少なくとも上端縁の左右位置に、それぞれ前記ベース部方向に延びる欠切状の凹部が形成されていることを特徴とするカップホルダー。
【請求項２】
前記凹部は、上方から下方に向けて徐々に狭くなるように形成されている請求項１に記載のカップホルダー。
【請求項３】
前記円筒部には、少なくとも前記円筒部の左右位置の上端縁から外方かつ下方に向けて折り返されたフレアー部が形成され、該フレアー部と前記円筒部の間に隙間が存在するようにした請求項１または２に記載のカップホルダー。
【請求項４】
前記円筒部の後端には、前記椅子の肘当てに固定される該円筒部と一体のアーム部が延設され、少なくとも該アーム部の左右側端縁からは、前記円筒部における下方に向けて折り返されたフレアー部が一体に延びて形成されている請求項１乃至３のいずれかに記載のカップホルダー。
【請求項５】
前記円筒部には、少なくとも前記円筒部の前端の上端縁から外方かつ斜め下方に向けて折り返されたフレアー部が形成され、該フレアー部と前記円筒部の間に隙間が存在するようにした請求項１乃至４のいずれかに記載のカップホルダー。
【発明の詳細な説明】
【技術分野】
【０００１】
本発明は、カップを支持するベース部と、該ベース部の周縁から上方に延接された円筒部とを有するカップ受部と、を備えたカップホルダーに関する。
【背景技術】
【０００２】
近年、映画館や劇場等のホールに複数設置される椅子には、例えば市販されている飲料入りカップや缶等を載置可能なカップホルダーが設けられている。このようなカップホルダーのカップ受部は、上面視円形でカップを収納可能な上下に延びる円筒形の円筒部と、カップを支持するベース部から構成されており、観客はカップ受部の上部からカップを差し込むだけで、円筒部内にカップを載置でき、カップを持ち上げるだけで取り出しが行えるようになっている（例えば、特許文献１参照）。
【０００３】
【特許文献１】特開平１１−３４２０４１号公報（段落０００９−００１０、第１，２図）
【発明の開示】
【発明が解決しようとする課題】
【０００４】
しかしながら、特許文献１におけるカップ受部の円筒部の上端縁の高さは、カップの転倒を防止するために一定の高さで円状に一周している構造になっており、高さが円筒部の上端縁の高さと同じかそれ以下のカップをカップホルダーに収納した場合に取り出し難いといった問題があった。
【０００５】
本発明は、このような問題点に着目してなされたもので、サイズの大小に関わらずカップを容易に取り出し可能なカップホルダーを提供することを目的とする。
【課題を解決するための手段】
【０００６】
上記課題を解決するために、本発明の請求項１に記載のカップホルダーは、カップを支持するベース部と、そのベース部の周縁から上方に延設された円筒部とを有するカップ受部とを備え、椅子の肘当て長手方向先端に設けられるカップホルダーにおいて、前記円筒部の少なくとも上端縁の左右位置に、それぞれ前記ベース部方向に延びる欠切状の凹部が形成されていることを特徴としている。
この特徴によれば、カップ受部に収納されるカップを円筒部の左右に設けられた凹部から指を刺し込むことで把持でき、カップサイズの大小に関わらずを容易に取り出しを行える。
【０００７】
本発明の請求項２に記載のカップホルダーは、請求項１に記載のカップホルダーであって、前記凹部は、上方から下方に向けて徐々に狭くなるように形成されていることを特徴としている。
この特徴によれば、上方から下方に向けて徐々に狭くなるように凹部が形成されることから、カップの収納時には指が凹部下方の狭い方へと案内され、円筒部およびベース部の中心に正確にカップを載置でき、またカップを取り出す際には、カップを正確な位置で把持できる。
【０００８】
本発明の請求項３に記載のカップホルダーは、請求項１または２に記載のカップホルダーであって、前記円筒部には、少なくとも前記円筒部の左右位置の上端縁から外方かつ下方に向けて折り返されたフレアー部が形成され、該フレアー部と前記円筒部の間に隙間が存在するようにしたことを特徴としている。
この特徴によれば、カップ受部を円筒部とフレアー部の二重構造となり、外部からの衝撃に対しても、フレアー部で衝撃が吸収されて円筒部内のカップ内の飲み物や食べ物がこぼれたりすることがない。
【０００９】
本発明の請求項４に記載のカップホルダーは、請求項１乃至３のいずれかに記載のカップホルダーであって、前記円筒部の後端には、前記椅子の肘当てに固定される該円筒部と一体のアーム部が延設され、少なくとも該アーム部の左右側端縁からは、前記円筒部における下方に向けて折り返されたフレアー部が一体に延びて形成されていることを特徴としている。
この特徴によれば、円筒部の前端からアーム部の左右側端縁にかけてフレアー部が延設されることから、カップホルダーの強度をさらに高めることができる。
【００１０】
本発明の請求項５に記載のカップホルダーは、請求項１乃至４のいずれかに記載のカップホルダーであって、前記円筒部には、少なくとも前記円筒部の前端の上端縁から外方かつ斜め下方に向けて折り返されたフレアー部が形成され、該フレアー部と前記円筒部の間に隙間が存在するようにしたことを特徴としている。
この特徴によれば、円筒部の前端にフレアー部が形成されるので、肘掛けの延長として利用することもできる。
【発明を実施するための最良の形態】
【００１１】
本発明の実施例を以下に説明する。
【実施例】
【００１２】
図1は、本発明の実施例におけるカップホルダーが取り付けられたの椅子の全体像を示す斜視図であり、図２は、カップホルダーの平面図であり、図３は、図２のＢ−Ｂ線の断面図であり、図４は、図１のＡ−Ａ線の側断面図であり、図５（ａ）は、サイズ大のカップをカップホルダーに収納した要部拡大断面図であり、図５（ｂ）は、サイズ小のカップをカップホルダーに載置した要部拡大断面図である。このカップホルダー（以下、カップホルダ５）は、映画館、劇場等のホールや競技場等の会場に複数設置される観客用の椅子（以下、椅子１）に主に利用されている。
【００１３】
本発明の実施例を図面に基づいて説明すると、図１に示されるように椅子１は、床面に複数の脚部３が横一列に間隔を設けて固着され、脚部３間に後述する外部シェル（図示略）が取り付けられており、外部シェル（図示略）の前面に背凭れ４が取り付けられているとともに、座部２が上方に回動可能に取り付けられており、未使用時には座部２の前端を持ち上げるだけで背凭れ４の前側に収納可能になっている。
【００１４】
椅子の背凭れ４は、観客２３の背中を受ける背受部４ａと頭を受ける頭受部４ｂとからなり、中央部に各椅子毎に付与される座席番号が表示された表示板１４が取り付けられ、会場に入場した観客が指定された座席を探す際の案内手段になっている。
【００１５】
脚部３の上部の後端側には、隣接する背凭れ４の隙間に収納可能に軸支された肘当て１５がそれぞれ取り付けられており、肘当て１５長手方向の前端部に飲料用のカップ２１等を収納可能な後述において詳述するカップホルダ５が取り付けられている。以下、本実施例では椅子１の正面側を前方とし、椅子１の背面側を後方として説明する。
【００１６】
カップホルダ５について具体的に説明する。カップホルダ５はプラスチック樹脂が用いられ押出しにより成型されており、図２に示されるように、カップを収納するカップ受部６と、カップ受部６から後方に向かって延設されたアーム部１１とから構成されている。
【００１７】
カップ受部６は、複数の環線の組み合わせにより形成されたベース部７と、ベース部７の周縁から上方に延設された円筒部８を有しており、アーム部１１は、上下に貫通したボルト孔１１ａを有している。
【００１８】
カップ受部６の上端縁８ｂ及びアーム部１１の両側端縁１１ｂにかけては、外方かつ下方にフレアー部９が延設されており、カップホルダ５の全体の強度を高めている。円筒部８の中心位置の左右位置には、上端縁８ｂからフレアー部９にかけて前後の幅が徐々に狭くなる半円形状の凹部８ａが形成されている。
【００１９】
このようなカップ受部６は、図３に示されるように円筒部８が所定の高さで形成されているので、種々のカップの高さに対応しているとともに、ベース部７が複数の環線で形成されているので、種々の大きさのカップでも対応でき、カップの高さや大小に関わらずカップを確実に収納可能な構成になっている。
【００２０】
さらに、凹部８ａとフレアー部９について具体的に説明すると、凹部８ａは、上端縁８ｂの上方から下方に向けて欠切状に形成され、カップ受部６の左右両端側から凹部８ａを介して円筒部８内に指を刺し込み可能な構造になっている。
【００２１】
フレアー部９は、円筒部８の左右位置の上端縁８ｂから外方かつ下方に向けて折り返されるように延設され、フレアー部９と円筒部８の間に隙間を設けて二重構造となるように形成されている。また、フレアー部９と円筒部８の折り曲げは、安全性のために折り曲げ角が立たないように丸く処理されている。
【００２２】
このようにカップ受部６を円筒部８とフレアー部９の二重構造とすることで、外部からカップホルダ５に衝撃が加えられた場合でも、フレアー部９で衝撃を吸収でき、円筒部８内のカップ内の飲料がこぼれたりすることを防止できる。またカップホルダ５の軽量化も図れる。
【００２３】
カップホルダ５の取り付けについて説明する。図４に示されるように、肘当て１５の前端の下端には、ボルト穴１５ａが前後に離間され形成されており、このボルト穴１５ａにボルト２０でアーム部１１のボルト孔１１ａを介して締め込まれることで、肘当て１５にカップホルダ５が堅固に取り付けられている。
【００２４】
このように、カップホルダ５は肘当て１５に別体に取り付けられているので、カップホルダ５の交換が容易に行える。また、ボルト２０を用いたカップホルダ５の取り付け部は、アーム部１１の側端縁１１ｂから延設されたフレアー部９によって外部から遮蔽されるので、観客２３とボルト２０の接触を防止でき安全性を高めることができるとともに、ボルト２０の取り付け部が外部から隠蔽され美観を損なうことがない。
【００２５】
しかも、カップホルダ５の前端には、円筒部８の上端縁８ｂから外方かつ斜め下方に向けて折り返されたフレアー部９が延設されているので、円筒部８内にカップが収納されていない状態においては、カップホルダ５を肘掛け１５の延長として観客２３の手置きとして利用できる。
【００２６】
カップホルダ５の使用方法について以下に具体的に説明する。まず、図５（ａ）に示されるように、カップサイズの大きなカップ２１をカップ受部６に収納する際には、従来公知のカップホルダと同様に上方から円筒部８内に差し込むことで、カップ２１を容易にベース部７に載置することができる。
【００２７】
カップサイズの小さいカップ２２をカップ受部６に収納する場合には、図５（ｂ）に示されるように、カップ受部６には、上端縁８ｂの上方から下方に向けて徐々に狭くなるように半円形の凹部８ａが形成されていることから、カップ２２の収納時に指が下方の狭い凹部へと案内され、円筒部８およびベース部７の中心に正確にカップ２２の載置が行うことができ、カップ２２を取り出す際には、円筒部８の左右に設けられた凹部８ａで指がカップ方向へ案内されつつ刺し込まれることで正確な位置でカップ２２を把持を行える。
【００２８】
このように、以上に説明したカップホルダ５に円筒部８の左右に凹部８ａが形成されることで、カップサイズの大小に関わらず容易にカップ２１，２２を円筒部８内に載置でき、円筒部８内から確実にカップ２１，２２を取り出すことができる。
【００２９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、カップホルダ５の外方かつ下方にフレアー部９が延設されることで、外部の衝撃にも強いカップホルダ５を構成していることから好ましいが、本発明はこれに限定されるものではなく、フレアー部９を形成せず、円筒部８の厚み設けるようにしても良い。
【００３０】
また、上記実施例では、アーム部１１の両側端縁１１ｂにもフレアー部９を延設することで、円筒部とアーム部の連結強度をさらに高めることができることから好ましいが、本発明はこれに限定されるものではなく、アーム部１１にフレアー部９を形成しない構成にしても良い。
【００３１】
また、上記実施例では、円筒部８内に飲料用のカップ２１，２２を収納しているが、本発明はこれに限定されるものでないことは言うまでもなく、カップ２１，２２以外にも缶や菓子入りカップ等も収納可能である。
【図面の簡単な説明】
【００３２】
【図１】本発明の実施例におけるカップホルダーが取り付けられたの椅子の全体像を示す斜視図である。
【図２】カップホルダーの平面図である。
【図３】図２のＢ−Ｂ線の断面図である。
【図４】図１のＡ−Ａ線の側断面図である。
【図５】（ａ）は、サイズ大のカップをカップホルダーに収納した要部拡大断面図であり、（ｂ）は、サイズ小のカップをカップホルダーに載置した要部拡大断面図である。
【符号の説明】
【００３３】
１                椅子
２                座部
３                脚部
４                背凭れ
４ａ              背受部
４ｂ              頭受部
５                カップホルダ（カップホルダー）
６                カップ受部
７                ベース部
８                円筒部
８ａ              凹部
８ｂ              上端縁
９                フレアー部
１１              アーム部
１１ａ            ボルト孔
１１ｂ            側端縁
１４              表示板
１５              肘当て
１５ａ            ボルト穴
２０              ボルト
２１              カップ（サイズ大）
２２              カップ（サイズ小）
２３              観客
【図１】
2005270498.tif 000003
【図２】
2005270498.tif 000004
【図３】
2005270498.tif 000005
【図４】
2005270498.tif 000006
【図５】
2005270498.tif 000007